(57)【要約】【課題】カラオケ装置において、流動的な楽曲予約状況に応じて録音目的での楽曲演奏とそれ以外の楽曲演奏の演奏順番を柔軟に管理する。【解決手段】ユーザインタフェースと、録音手段と、制御手段とを備え、待ち行列によってリクエスト曲の演奏順番を管理し、ユーザインタフェースは、リクエスト曲の指定とともに録音指定が可能であり、録音手段は、待ち行列に登録された録音指定のリクエスト曲の演奏時にカラオケ伴奏音楽とともに歌声を録音し、制御手段は、待ち行列に登録された録音指定のリクエスト曲Ａに演奏順番がまわってきたとき、曲Ａに続けて他のリクエスト曲が登録されている場合は後続する他のリクエスト曲を順番に挿入しながら曲Ａを所定回数演奏し、後続するリクエスト曲がなければ曲Ａを所定回数演奏可能とするカラオケ装置としている。【選択図】    図３
2005241846.tif 000002
【特許請求の範囲】
【請求項１】
ユーザインタフェースと、録音手段と、制御手段とを備え、待ち行列によってリクエスト曲の演奏順番を管理するカラオケ装置であって、
ユーザインタフェースは、リクエスト曲の指定とともに録音指定が可能であり、
録音手段は、待ち行列に登録された録音指定のリクエスト曲の演奏時にカラオケ伴奏音楽とともに歌声を録音し、
制御手段は、待ち行列に登録された録音指定のリクエスト曲Ａに演奏順番がまわってきたとき、曲Ａに続けて他のリクエスト曲が登録されている場合は後続する他のリクエスト曲を順番に挿入しながら曲Ａを所定回数演奏し、後続するリクエスト曲がなければ曲Ａを所定回数演奏可能とする
カラオケ装置。
【発明の詳細な説明】
【技術分野】
【０００１】
この発明はカラオケ装置に関し、具体的には、リクエスト曲の伴奏音楽信号と歌唱音声信号とを楽曲単位の録音ファイルに作成する録音機能を備えたカラオケ装置において、楽曲を演奏する順番を管理する方式の改良に関する。
【背景技術】
【０００２】
カラオケ装置には、カラオケ伴奏音楽と歌唱者によるカラオケ歌唱をＣＤ−Ｒなどの可搬型記録媒体に録音する録音機能を備えているものがある。特開２００２−２８７７７７号、特開２００２−１８２６６５号、特開２００２−１８２６６８号、特開２００２−１８２６６７号各公報などには、歌唱に失敗したとしてもＣＤ−Ｒには最良の歌唱状態を録音できるカラオケ録音装置が開示されている。この録音装置は、伴奏音楽と歌唱音声とを楽曲単位で所定のデータ形式の録音ファイルに作成し、そのファイルをハードディスク装置になどに一時記憶させる。そして、最もうまく歌えたときの録音ファイルをＣＤ−Ｒに転記するように構成されている。
【０００３】
また、録音ファイルをＣＤ−Ｒなどに記録する代わりにカラオケ事業者が管理する所定のコンピュータに送信してカラオケ事業者に受託する特定動作もある。この特定動作によれば、例えば、特開２００３−１５６７３号公報に記載されているカラオケ通信教習方法のように、利用者は、カラオケ事業者に寄託した録音ファイルを専門の審査員に転送して添削してもらうサービスを受けられる。
【発明の開示】
【発明が解決しようとする課題】
【０００４】
上述の録音ファイルを作成するカラオケ装置では、リクエスト曲とともに録音指定された楽曲を演奏する際、そのリクエスト曲を所定の演奏可能回数に限って繰り返し演奏させて歌い直たり、録音ファイルを再生して録音内容をチェックすることができる。そして、複数の録音ファイルを作成し、その複数のファイルの中から最もうまく歌えたときのファイルをＣＤ−Ｒに転記したり、カラオケ事業者に寄託したりすることができる。
【０００５】
しかし、演奏処理の待ち行列には、録音指定された楽曲とそれ以外の楽曲とが混在して登録され、それら登録楽曲が順番に演奏される。したがって、録音指定された楽曲の演奏時には、同じ楽曲が最大で演奏可能回数だけ繰り返して再演奏されることになる。これでは、録音指定楽曲の後に曲をリクエストした人は、自分の予約楽曲が演奏されるまで長時間待たなくてはならず、純粋にカラオケ歌唱を目的とする他の同伴者に多大な迷惑を掛けることになる。何よりも問題なのは、演奏予約状態が流動的であるということである。録音指定された曲が実際に演奏を開始したときに待ち行列には他の曲が１つも登録されていなかったり、その逆に、録音指定曲の演奏が実際に始まったときに、急に待ち行列に後続する曲が登録されたりする。
【０００６】
利用者数によって録音のための再演奏自体を禁止したり演奏可能回数を減らしたりすることも考えられるが、待ち行列に他の曲が登録されていないのに録音のための再演奏自体を禁止したり制限すれば、録音目的の利用者側に不満が残る。かといって、上述したように、待ち行列の順番通りに録音指定曲を演奏してその演奏時に何度も再演奏すれば、後続する楽曲がなかなか演奏されず、歌唱目的の利用者が迷惑を被る。
【課題を解決するための手段】
【０００７】
上記課題に鑑み本発明を創作し、その目的は、流動的な楽曲予約状況に応じて録音目的での楽曲演奏とそれ以外の楽曲演奏の演奏順番を柔軟に管理できるカラオケ装置を提供することにある。
【０００８】
上記目的を達成するための本発明は、ユーザインタフェースと、録音手段と、制御手段とを備え、待ち行列によってリクエスト曲の演奏順番を管理するカラオケ装置であって、
ユーザインタフェースは、リクエスト曲の指定とともに録音指定が可能であり、
録音手段は、待ち行列に登録された録音指定のリクエスト曲の演奏時にカラオケ伴奏音楽とともに歌声を録音し、
制御手段は、待ち行列に登録された録音指定のリクエスト曲Ａに演奏順番がまわってきたとき、曲Ａに続けて他のリクエスト曲が登録されている場合は後続する他のリクエスト曲を順番に挿入しながら曲Ａを所定回数演奏し、後続するリクエスト曲がなければ曲Ａを所定回数演奏可能とすることとした。
【発明の効果】
【０００９】
本発明の録音システムを備えたカラオケ装置によれば、流動的な楽曲予約状況に応じて録音目的で演奏される楽曲演奏と歌唱目的で演奏される楽曲の演奏順番を柔軟に管理することができる。それによって、録音システムを活用して同一曲を再演奏させる利用者と、歌唱目的で楽曲演奏させる利用者の双方が公平にカラオケ装置を使用することができる。
【発明を実施するための最良の形態】
【００１０】
＝＝＝ネットワーク構成＝＝＝
図１は本発明の実施例におけるカラオケ装置を含むネットワーク構成を示している。インターネットを利用したＶＰＮ（Virtual Private Network）７０に各地のカラオケ店舗１００に敷設されたＬＡＮ１１０やカラオケ事業者が管理する各種コンピュータ（事業者コンピュータ）９０が接続されて広域イントラネットが構築されている。各地のカラオケ店舗１００の各客室にはカラオケ装置１が設置され、カラオケ装置１はＶＰＮ７０を介して事業者コンピュータ９０と通信する。
【００１１】
＝＝＝カラオケ装置の基本的な構成と動作＝＝＝
図２はカラオケ装置１の機能ブロック構成である。カラオケ装置１は、周知の通信カラオケシステムの演奏端末とほぼ同様のハードウエア構成となっている。中央制御部１１は、各周辺構成部を制御してカラオケ装置１を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、曲名やアーティスト名などの目次情報と、所定形式の長時間分の動画データと、動画データの処理シーケンス（処理すべき動画データの格納場所と処理順番など）を規定した台本データなども格納されている。そして、中央制御部１１は、各楽曲のカラオケデータや目次情報、台本データなどを楽曲番号によって識別し、これをカラオケデータベースとして管理している。
【００１２】
ホスト装置９０ａは、カラオケ装置１に向けて新譜楽曲についてのカラオケデータ、台本データ、目次情報などを適時に配信するための事業者コンピュータであり、中央制御部１１は、ネットワークインタフェース２３を介して店舗ＬＡＮ１１０およびＶＰＮ７０に接続し、ホスト装置９０ａと通信する。そして、ホスト装置９０ａから送付されたカラオケデータを受け取ってカラオケデータベースの内容を更新する。
【００１３】
操作制御部１３は、リモコン送信器２５やカラオケ装置本体に配設された操作パネル１４に入力された楽曲番号を受け付けると、その番号を中央制御部１１に転送する。中央制御部１１は、その楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データをシンセサイザ１９に転送して伴奏音楽を生成させる。
【００１４】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００１５】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００１６】
＝＝＝録音システム＝＝＝
カラオケ装置１には伴奏音楽とそれに合わせて歌う歌唱者の歌声とを楽曲単位の録音作品として所定形式のデータファイルに作成するための録音システムが搭載されている。本実施例の録音システムは、カラオケ装置１の付帯機能（録音機能）として本体に組み込まれており、そのシステムの要部である音声信号処理部２４は、シンセサイザ１９からリクエスト曲の伴奏音楽とマイクロホン２２に入力された歌唱音声との混合音響信号をサンプリングしてデジタル音声データにＡ／Ｄ変換する。そして、中央制御部１１から演奏開始のタイミング情報を受け取ると、デジタル音声データを中央制御部１１に転送していく。中央制御部１１は、内部のＲＡＭなどにそのデジタル音声データを格納していき、演奏が終了すると、音声データをＷＡＶＥファイルなど適宜な形式のデータファイルに作成し、このファイルを歌唱録音作品としてリクエスト曲の楽曲ＩＤに対応付けして内蔵のハードディスク装置１２に一時的に保存する。なお、作成された録音作品は、ＣＤ−Ｒに転記されたりカラオケ事業者が管理する所定のコンピュータに送信されたりして適宜に利用される。また、利用者の指示により、作成した録音作品を再生して、歌唱状態をチェックすることができる。本実施例では、シンセサイザ１９にデジタル音声データをアナログ音声データに変換するためのＤ／Ａコンバータが内蔵されており、中央制御部１１は、録音ファイルの内容であるデジタル音声データをシンセサイザ１９に転送することで、録音作品の伴奏音楽と歌声音声とをスピーカ２１に音響出力させる。
【００１７】
＝＝＝演奏順番管理機能＝＝＝
本実施例のカラオケ装置１は、歌唱目的の利用者と録音目的の利用者の双方が快適にカラオケを楽しめるように、待ち行列の楽曲登録状況に応じて録音機能とともに演奏する曲（録音楽曲）と録音機能を使わずに演奏する曲（歌唱楽曲）の演奏順番を動的に入れ替える演奏順番管理機能を備えている。
【００１８】
利用者は、録音楽曲をリクエストする場合、曲番号とともに録音機能の起動指示をカラオケ装置１に入力する。録音機能の起動指示を入力するためには、例えば、その起動指示を受け付けるボタンをリモコン送信器２５や操作パネル１４に配設しておけばよい。中央制御部１１は、歌唱録音機能の起動指示とともに曲のリクエストを受け付けると、その曲番号と録音指定のフラグとを対応付けして待ち行列登録する。録音機能の起動指示がない場合は曲番号のみを待ち行列に登録する。
【００１９】
図３に本実施例における演奏順番管理機能の処理の流れを示した。中央制御部１１は、待ち行列から取り出した曲が録音楽曲である場合、録音回数を「０」にセットし、音声信号処理部２４を能動化し、録音機能とともに楽曲演奏処理を行う（ｓ１→ｓ２，ｓ３→Ｓ４〜ｓ６）。演奏が終了すると、歌唱録音機能により作成した歌唱録音作品をハードディスク装置１２などに記憶する（ｓ７→ｓ８）。また本実施例では、録音作品の作成直後に、利用者が所定の操作をすれば、その作品を１回だけ再生させることができる（ｓ９→ｓ１０）。
【００２０】
つぎに録音回数を確認し、録音回数が所定値（ｋ）でなければ、録音回数を１だけ加算し、録音作品をもう一つ作成するために再録音するか否かの問い合わせ表示を行う（ｓ１１→ｓ１２，ｓ１３）。利用者がこの問い合わせに従って再録音を指示すると、待ち行列に後続の楽曲が登録されているかどうかを確認する。この時点で後続曲がなく、録音回数が所定値に達していなければ、同じ楽曲を最初から歌唱録音機能とともに再演奏する。（ｓ１４→ｓ１６→ｓ１９→ｓ５）。そして、再演奏終了後あるいは後続楽曲の演奏後に録音回数がその所定値に達していれば、待ち行列に従った処理に移行する（ｓ１１→ｓ１、またはｓ１９→ｓ１）。
【００２１】
再録音の問い合わせに対し、再録音をしない旨の指示、すなわち作成した録音ファイルをＣＤ−Ｒに転記したりカラオケ事業者に寄託したりすることを確定したとき、あるいは再録音の指示がない状態で所定時間が経過したときは、待ち行列を見て、後続曲があれば、その楽曲についての処理を行う（ｓ１４→ｓ１５→ｓ１→ｓ２）。後続曲がなければ予約待機状態にする（ｓ１→ｓ２２）。
【００２２】
上記演奏順番管理機能によれば、例えば、録音楽曲Ａに続いて歌唱楽曲Ｂ、Ｃが登録されているとする。また、１つのリクエストに対する録音楽曲について、最大３回録音機能を伴う再演奏が可能であるとする。すなわち、１つのリクエストについて、４回録音をすることができるとする。そして、曲Ａをリクエストした人が設定値の４回に達するまで録音をしたとする。その場合の演奏順番は、Ａ→Ｂ→Ａ→Ｃ→Ａ→Ａとなる。また、曲Ｃに続いて歌唱楽曲Ｄが登録されていれば、Ａ→Ｂ→Ａ→Ｃ→Ａ→Ｄ→Ａの順で演奏される。
【００２３】
＝＝＝待ち行列の管理方式＝＝＝
上記実施例では、演奏処理を開始した録音楽曲について、その楽曲と録音回数とを管理し、その録音楽曲を１回演奏するごとに録音回数を１ずつ加算するとともに、その都度、待ち行列の後続曲の有無を確認する。後続曲がなければその録音楽曲を続けて演奏し、後続曲があればその後続曲を演奏した後、再度この録音楽曲を演奏していた。
【００２４】
この例に限らず、中央制御部１１が１つのリクエストによる録音楽曲を待ち行列中に複数分散させて登録することで、上述と同様の演奏順番管理機能を実現してもよい。すなわち、待ち行列の登録状態を監視し、録音楽曲に後続する楽曲の数に応じ、待ち行列中に分散登録した各録音楽曲に録音可能回数を設定する。図４（ａ）〜（ｄ）に待ち行列の登録状態の遷移を示した。この例では３回の再録音（４回の録音）が可能であり、録音楽曲Ａが待ち行列のｎ番目に登録された時点では、この演奏機会に４回の録音が可能となっている（ａ）。その後、この曲Ａの演奏が開始される前に、歌唱楽曲Ｂがリクエストされると、録音楽曲Ａの２回目以降の演奏分が曲Ｂの後に登録される（ｂ）。すなわち、Ａ→Ｂ→Ａの順で演奏予約登録される。そして、最初の曲Ａの演奏時には１回の録音が可能で、曲Ｂの後の２回目の演奏機会では、３回の録音が可能となっている。
【００２５】
さらに曲Ｂに続いて歌唱楽曲Ｃがリクエストされると、Ａ→Ｂ→Ａ→Ｃ→Ａの順で待ち行列が再登録される。そして、曲Ａの１回目と２回目の演奏機会にそれぞれ１回の録音が可能となり、３回目の演奏機会では残り分２回の録音が可能となる（ｃ）。さらに歌唱楽曲Ｄがリクエストされると、Ａ→Ｂ→Ａ→Ｃ→Ａ→Ｄ→Ａの順で待ち行列が再登録される。そして、曲Ａの各演奏機会にそれぞれ１回の録音が可能となる（ｄ）。
【００２６】
＝＝＝待ち行列に複数の録音楽曲が登録される場合＝＝＝
待ち行列に複数の録音楽曲が登録される場合も当然ある。そのような場合、最初に登録された録音楽曲の再演奏が全て終わるまで、次の録音楽曲を演奏しないようにするなど、適宜に演奏順番を変えればよい。あるいは、歌唱楽曲が待ち行列に登録されている場合、先にリクエストされた録音楽曲と次にリクエストされた録音楽曲が連続して演奏されないようにして前後の録音楽曲の演奏の間に歌唱楽曲の演奏を挿入するようにしてもよい。
【図面の簡単な説明】
【００２７】
【図１】本発明の実施例におけるカラオケ装置を含むネットワーク構成図である。
【図２】上記カラオケ装置の機能ブロック図である。
【図３】上記カラオケ装置における演奏順番管理機能の処理の流れ図である。
【図４】上記演奏順番管理機能によって待ち行列を操作したときの楽曲登録状態の遷移図である。
【符号の説明】
【００２８】
１  カラオケ装置
１１  中央制御部
１２  ハードディスク装置
１８  ディスプレイ
１９  シンセサイザ
２４  音声信号処理部 
【図１】
2005241846.tif 000003
【図２】
2005241846.tif 000004
【図３】
2005241846.tif 000005
【図４】
2005241846.tif 000006